(57)【要約】  【課題】  少ない操作手順で撮影可能状態へ移行させることができるとともに、即時に撮影可能状態へ移行させることが可能な撮影装置を提供するものである。  【解決手段】  表示部２６を備えた表示筐体２７の回動位置を検知する回動検出部３０と、回動検出部３０で検知された表示筐体２７の回動位置に基づいて、レンズバリア開閉制御部２９を制御する主制御部４１とを備え、主制御部４１は、表示筐体２７が表示部２６を本体の主面に対向させた収納位置にある時は、レンズバリア２３を閉状態にするよう制御し、表示筐体２７が収納位置から回動された位置にある時は、レンズバリア２３を開状態にするよう制御するものである。【選択図】  図５
2007060304.tif 000002
【特許請求の範囲】
【請求項１】
情報媒体が収納される媒体収納部と、映像信号を前記情報媒体へ記録するよう指示する操作が可能な操作部と、光信号を集光させるレンズと、前記レンズを介して入射される光信号を前記映像信号に変換して出力する撮像部と、前記レンズ前面を開閉可能に設けられかつ前記レンズ前面に位置している時には前記レンズ全面を覆うレンズバリアと、前記レンズバリアを開閉駆動するレンズバリア開閉制御部とを備えた第１の筐体と、
前記第１の筐体に回動自在に軸支され、かつ前記撮像部から出力される前記映像信号を表示可能な表示部を有する第２の筐体とを備え、
入射される光信号を前記撮像部で撮像して映像信号に変換し、前記映像信号を前記情報媒体へ記録可能な撮影装置であって、
前記第２の筐体の回動位置を検出する検出部と、
前記検出部で検出された前記第２の筐体の回動位置に基づいて、前記レンズバリア開閉制御部を制御する制御部とを備え、
前記制御部は、
前記第２の筐体が前記表示部を前記第１の筐体の主面に対向させた収納位置にある時は、前記レンズバリアを閉状態にするように前記レンズバリア開閉制御部を制御し、
前記第２の筐体が前記収納位置から所定の位置まで回動された位置にある時は、前記レンズバリアを開状態にするように前記レンズバリア開閉制御部を制御することを特徴とする撮影装置。
【請求項２】
前記制御部は、
本装置の電源がオンの状態で、前記第２の筐体が前記表示部を前記第１の筐体の主面に対向させた収納位置にある時は、少なくとも前記撮像部及び前記表示部の動作を停止させるよう制御する請求項１記載の撮影装置。
【請求項３】
本装置の電源がオンの状態で、前記表示筐体が前記収納位置にある状態で所定時間経過した時、本装置の電源をオフにするよう制御する請求項１記載の撮影装置。
【請求項４】
前記制御部は、
本装置の電源がオンの状態で、前記第２の筐体が前記表示部を前記第１の筐体の主面に対向させた収納位置に移行させた時、本装置の電源をオフにするよう制御し、
本装置の電源がオフの状態で、前記第２の筐体が前記収納位置から所定位置まで回動させた時、本装置の電源をオンにするよう制御する請求項１記載の撮影装置。
【請求項５】
本装置の電源がオンの状態で、前記第２の筐体が前記表示部を前記第１の筐体の主面に対向させた収納位置に移行させた時、
少なくとも前記撮像部及び前記表示部の動作を停止させるよう制御する第１の制御と、本装置の電源をオフにするよう制御する第２の制御とを、選択可能に構成した請求項１記載の撮影装置。
【発明の詳細な説明】
【技術分野】
【０００１】
本発明は、被写体の反射光を対物レンズで集光した集光像を、撮像素子で映像信号に変換し、当該映像信号を情報媒体に記録する撮影装置に関する。
【背景技術】
【０００２】
撮像素子を介して動画を情報媒体に記録するカメラとしては、テープ状情報媒体に映像信号等を記録可能なビデオカメラや、半導体メモリに映像信号等を記録可能なデジタルカメラが普及している。特に、デジタルカメラは、従来の静止画撮影機能に加えて、動画撮影機能が搭載されている。さらに小型化及び高画質化によって、動画撮影が可能な撮影装置の主流として普及されている。
【０００３】
近年、普及しているデジタルカメラは、撮影映像等を良好に視認可能なように、液晶モニタのサイズを大型化した機種が増えてきている。さらに、液晶モニタのサイズを大型化しつつ、デジタルカメラ本体を大型化しないように、液晶モニタを別筐体（表示筐体）とし、表示筐体をデジタルカメラ本体に対してヒンジで軸支させて配されているものが多い。このようなデジタルカメラの構成が、特許文献１に開示されている。
【０００４】
図７〜図９は、特許文献１に記載のデジタルカメラ（以下、撮影装置と記す）の構成を示す斜視図である。図７は撮影装置の平面図、図８は正面図、図９は側面図である。図において、本体１０１には、撮影操作を行うためのシャッターボタン１０２と、再生操作などの各種操作を行うための操作ボタン１０３と、レンズ１０９と、レンズ１０９を覆うレンズバリア１０５と、レンズバリア１０５を開閉可能なレバー１０５ａと、スイッチ１０４とを備えている。
【０００５】
また、本体１０１には，表示部１０８を備えた表示筐体１０７が回動自在に支持されている。表示筐体１０７は、ヒンジ１０６を介して矢印Ｚに示す方向およびその逆方向へ回動可能である。
【０００６】
なお、表示筐体１０７が、図示のように本体１０１に対して開き、表示部１０８の表示を使用者が視認可能な状態を「視認可能状態」とする。また、図示の状態から表示筐体１０７を矢印Ｚに示す方向へ回動させて、表示部１０８を本体１０１の主面に対向させた状態を「収納状態」とする（収納状態は図示せず）。
【０００７】
また、本装置において、表示筐体１０７が視認可能状態でかつレンズバリア１０５が開かれた状態を「撮影可能状態」、表示筐体１０７が収納状態でかつレンズバリア１０５が閉じられた状態を「待機状態」とする。
【０００８】
本体１０１において、スイッチ１０４は、表示筐体１０７が収納状態になっていることを検知するものであり、表示筐体１０７が収納状態になった時に表示筐体１０７の表面で押圧操作される位置に配されている。
【０００９】
レバー１０５ａは、図８に示す位置から矢印Ｙに示す方向へスライドさせることで、本体１０１に収納されているレンズバリア１０５が矢印Ｙに示す方向へ移動され、レンズ１０９の前面を覆い、レンズ１０９を傷や異物などから保護することができる。
【００１０】
以上のように構成された従来の撮影装置について、以下その動作について説明する。
【００１１】
まず、本装置が待機状態にある時は、表示筐体１０７は収納状態（図示せず）になっており、レンズバリア１０５はレンズ１０９を覆う位置にある。
【００１２】
本装置で撮影を行う際は、表示筐体１０７を収納状態から矢印Ｚの逆方向へ回動させて、図７〜図９に示す状態にする。この時、スイッチ１０４と表示筐体１０７とが離間されることで、スイッチ１０４は表示筐体１０７が開かれたことを検知する。次に、内部の制御回路が、本装置の電源を投入するよう電源回路（図示せず）を制御する。次に、使用者がレバー１０５ａを矢印Ｙの逆方向へスライドさせることで、図８に示すようにレンズ１０９が現れる。次に、レンズ１０９を介して入射される被写体からの反射光が、撮像素子（図示せず）で電気信号に変換され、その電気信号に基づいて映像信号（スルー画像）が表示部１０８に表示される。
【００１３】
次に、使用者は表示部１０８に表示される映像信号を見ながら、任意のタイミングでシャッターボタン１０２を操作することで、静止画や動画を撮影することができる。なお、図示していないが、本体１０１内には半導体メモリなどから構成される情報媒体が配されており、撮影された映像信号等を情報媒体へ記録させることができる。
【００１４】
また、本装置を待機状態へ移行させる際は、レバー１０５ａを矢印Ｙに示す方向へスライドさせて、レンズバリア１０５でレンズ１０９の前面を覆う状態にするとともに、表示筐体１０７を矢印Ｚに示す方向へ回動させて収納状態にする。表示筐体１０７が収納状態へ移行された時、表示筐体１０７の表面でスイッチ１０４が押圧操作され、装置の電源がＯＦＦになるよう制御される。
【特許文献１】特開２００３−８７６４２号公報
【発明の開示】
【発明が解決しようとする課題】
【００１５】
しかしながら、上記従来の構成では、撮影装置を待機状態から撮影可能状態へ移行させるには、表示筐体１０７を回動させて収納状態から視認可能状態へ移行させるとともに、レバー１０５ａをスライドさせてレンズバリア１０５を開いて、レンズ１０９を露出させる操作が必要であり、操作手順が多く、操作性を低下させていた。
【００１６】
また、撮影装置を待機状態から撮影可能状態へ移行させる際、表示筐体１０７を視認可能状態へ移行させた時に、装置内のシステムマイコンの初期化処理や起動処理などが行われてから、撮像素子で光電変換された映像信号（スルー画像）が表示部１０８に表示される構成であるため、即時に撮影可能な状態へ移行させることができず、使い勝手を低下させていた。
【００１７】
本発明は、上記問題点に鑑み、少ない操作手順で待機状態から撮影可能状態へ移行させることができるとともに、即時に待機状態から撮影可能状態へ移行させることが可能な撮影装置を提供することを目的とする。
【課題を解決するための手段】
【００１８】
上記目的を達成するために本発明の撮影装置は、情報媒体が収納される媒体収納部と、映像信号を前記情報媒体へ記録するよう指示する操作が可能な操作部と、光信号を集光させるレンズと、前記レンズを介して入射される光信号を前記映像信号に変換して出力する撮像部と、前記レンズ前面を開閉可能に設けられかつ前記レンズ前面に位置している時には前記レンズ全面を覆うレンズバリアと、前記レンズバリアを開閉駆動するレンズバリア開閉制御部とを備えた第１の筐体と、前記第１の筐体に回動自在に軸支され、かつ前記撮像部から出力される前記映像信号を表示可能な表示部を有する第２の筐体とを備え、入射される光信号を前記撮像部で撮像して映像信号に変換し、前記映像信号を前記情報媒体へ記録可能な撮影装置であって、前記第２の筐体の回動位置を検出する検出部と、前記検出部で検出された前記第２の筐体の回動位置に基づいて、前記レンズバリア開閉制御部を制御する制御部とを備え、前記制御部は、前記第２の筐体が前記表示部を前記第１の筐体の主面に対向させた収納位置にある時は、前記レンズバリアを閉状態にするように前記レンズバリア開閉制御部を制御し、前記第２の筐体が前記収納位置から所定の位置まで回動された位置にある時は、前記レンズバリアを開状態にするように前記レンズバリア開閉制御部を制御するものである。
【発明の効果】
【００１９】
本発明は、少ない操作手順で、撮影装置を待機状態から撮影可能状態へ移行させることができ、操作性を向上させることができる。また、撮影装置を即時に待機状態から撮影可能状態へ移行可能にさせることができ、使い勝手を向上させることができる。
【発明を実施するための最良の形態】
【００２０】
本発明の撮影装置は、前記制御部は、本装置の電源がオンの状態で、前記第２の筐体が前記表示部を前記第１の筐体の主面に対向させた収納位置にある時は、少なくとも前記撮像部及び前記表示部の動作を停止させるよう制御する構成としてもよい。これにより、消費電力を削減することができる。
【００２１】
また、本装置の電源がオンの状態で、前記表示筐体が前記収納位置にある状態で所定時間経過した時、本装置の電源をオフにするよう制御する構成としてもよい。これにより、消費電力を削減することができる。
【００２２】
また、前記制御部は、本装置の電源がオンの状態で、前記第２の筐体が前記表示部を前記第１の筐体の主面に対向させた収納位置に移行させた時、本装置の電源をオフにするよう制御する構成としてもよい。
【００２３】
また、本装置の電源がオンの状態で、前記第２の筐体が前記表示部を前記第１の筐体の主面に対向させた収納位置に移行させた時、少なくとも前記撮像部及び前記表示部の動作を停止させるよう制御する第１の制御と、本装置の電源をオフにするよう制御する第２の制御とを、選択可能に構成した構成としてもよい。
【００２４】
（実施の形態１）
図１〜図４は、本発明の実施の形態１における撮影装置の外観構成を示す図である。図１は撮影可能状態である撮影装置をレンズ側（被写体側）から見た斜視図である。図２は撮影可能状態である撮影装置を操作部側（撮影者側）から見た斜視図である。図３は表示筐体の回動動作を説明するための斜視図で、（ａ）は表示筐体を本体へ収納された状態から支軸７の軸周りに９０度回動させた状態、（ｂ）は（ａ）の状態から表示筐体を支軸６を軸に９０度回動させた状態（撮影可能状態）である。図４はレンズバリアの正面図で、（ａ）がレンズバリアが閉じた状態、（ｂ）が開いた状態である。
【００２５】
図１及び図２において、撮影装置１は、レンズ９が収納される鏡筒２と、不図示の撮像素子によって被写体等からの反射光を光電変換した撮影映像などを表示可能な表示部８を備えた第２の筐体４と、情報媒体や各種回路やバッテリなどが内蔵された第１の筐体５とから構成されている。なお、本実施形態では、撮像素子は鏡筒２に組み込まれている構成として説明するが、鏡筒２と撮像素子とを分離して配置する構成を排除するものではない。
【００２６】
鏡筒２は、長手方向の一端面にレンズ９（対物レンズ）が設けられており、レンズ９を介して外部（被写体からの反射光など）の光が入射可能となっている。図示していないが、鏡筒２内のレンズ９の光軸上には、ズームレンズやフォーカスレンズなどが配されている。なお、鏡筒２において、レンズ９等が設けられた側の端面にレンズフードを着脱可能な構成としてもよい。
【００２７】
図２に示すように、第１の操作部３１は、第１の筐体５においてレンズ９が配された面の反対面に配されている。操作部３１は、略円形のシャッターボタン３１ａを中心にして、その外周に略ドーナツ型のズームレバー３１ｂが配されている。シャッターボタン３１ａを操作することで、撮影装置１内において動画や静止画の撮影動作が行われる。また、ズームレバー３１ｂを、シャッターボタン３１ａを中心に時計方向あるいは反時計方向へ回転操作させることで、ズーム操作を行うことができる。また、シャッターボタン３１ａの周囲にズームレバー３１ｂを近接配置させたことで、使用者が例えば親指で第１の操作部３１を操作する際に、ズームレバー３１ｂまたはシャッターボタン３１ａの操作に連動して、少ない親指の移動量でズーム操作等が可能であるため、操作性を向上させることができる。
【００２８】
図２に示すように、第２の操作部３２は、第１の筐体５において第１の操作部３１と同一面に配されている。第２の操作部３２は、ボタン３２ａを中心にして、その外周に略ドーナツ型のカーソルキー３２ｂが配されている。カーソルキー３２ｂは、ホワイトバランスやマクロ撮影などの各種設定操作を行うことができる。ボタン３２ａは、カーソルキー３２ｂで所定の設定操作を行った際に、「決定ボタン」として機能するものである。また、ボタン３２ａの周囲にカーソルキー３２ｂを近接配置させたことで、使用者が例えば親指で第２の操作部３２を操作する際に、カーソルキー３２ｂで所定の設定操作を行った後、少ない親指の移動量でボタン３２ａを操作して「決定操作」を行うことが可能であるため、操作性を向上させることができる。
【００２９】
図２に示すように、第３の操作部３３は、第１の筐体５において第２の筐体４が配された面の反対面に配されている。第３の操作部３３は、時計周りあるいは反時計周りに回転させて、撮影装置１のモードを設定することが可能な、いわゆる「モードダイヤル」で構成されている。本実施の形態の場合、設定できるモードは、被写体等の静止画を撮影可能な「静止画撮影モード」、被写体等の動画を撮影可能な「動画撮影モード」、第１の筐体５内に装着されている情報媒体に記録されている静止画を再生可能な「静止画再生モード」、同様に情報媒体に記録されている動画を再生可能な「動画再生モード」、撮影装置１をパーソナルコンピュータなどとケーブルで接続してデータ転送を行うことができる「ＰＣ接続モード」の、５種類のモードに設定可能である。
【００３０】
本実施の形態では、第１の操作部３１及び第２の操作部３２において、回転操作が可能なズームレバー３１ｂや、上下左右の４方向に押圧操作が可能なカーソルキー３２ｂを備えたが、操作形態は前述のような回転操作や押圧操作に限るものではない。また、第３の操作部３３をモードダイヤルで構成したが、他の操作方式によるもので構成してもよい。
【００３１】
図３に示すように、第２の筐体４は、支軸７を軸に、第１の筐体５に対して矢印Ａ方向およびその逆方向に回動自在に支持されている。また、第２の筐体４は、支軸６を軸に、矢印Ｂ方向及びその逆方向に回動自在に配されている。なお、第２の筐体４を収納状態にした時は、撮影装置１の電源をオフとし、第２の筐体４を第１の筐体５に対して支軸７を軸に回動させると電源がオンとなるようにスイッチ（図示せず）を設ける構成としてもよい。これにより、電源をオン／オフするためのスイッチを撮影装置１の表面に配置させる必要がないため、撮影装置１の小型化が可能となる。なお、便宜上、支軸６及び７の図示は一点鎖線にて簡略表記した。
【００３２】
表示部８は、例えば２〜４インチ程度の液晶ディスプレイから構成され、撮像中の映像（スルー画像）をはじめ、例えばメモリーカードの残容量、バッテリーの残量、逆光／順光等の現在の撮影状況等の各種情報を、表示させることができる。なお、表示部８は、液晶ディスプレイに限るものではなく、有機ＥＬ素子等、他の表示素子でもよい。
【００３３】
支軸６は、光軸１２に対して略直交するように配されている。また、支軸６の一端は第２の筐体４に固定され、胴部は支軸７に略直交して配置されている。また、支軸７は、光軸１２に対して略平行に配されており、第１の筐体５に固定されている。なお、第２の筐体４が、図３における矢印Ａ方向へ回動される際は、支軸６は支軸７の胴部上を移動する。
【００３４】
第１の筐体５には、情報媒体を着脱および記録再生動作が可能な媒体格納部や、信号処理回路や、撮影装置１の駆動源であるバッテリーなどが内蔵されている。なお、本実施の形態では、半導体メモリカードを情報媒体として使用する構成になっているが、光ディスクやテープカセットなどの情報媒体であってもよい。また、情報媒体は必ずしも着脱可能なものに限らず、ハードディスクドライブなどのように固定型の情報媒体であってもよい。また、メモリカードを着脱させるためのメモリカードスロットは、第１の筐体５における底面に設けられている（図示せず）が、他の部位に設けてもよい。特に、第１の筐体５において、第２の筐体４を収納状態にした時に表示部８と対向する面に設けることで、第２の筐体４を収納状態にした時に第２の筐体４がメモリカードスロットを覆い隠すため、メモリカードスロットに蓋を設けなくても、埃や異物が侵入するのを防ぐことができる。
【００３５】
図４に示すように、鏡筒２の端部には、レンズ９の前面を覆うことが可能なようにレンズバリア１０が配されている。レンズバリア１０は、光軸１２（図１参照）に対して略直交する方向へ移動可能な複数枚の羽根１０ａから構成される。本実施の形態では、４枚の羽根１０ａが互いに重なるように配されている。羽根１０ａを、図４（ｂ）に示す状態から光軸に近づく方向へ移動させ、図４（ａ）に示すようにレンズ９前面を覆う状態で位置決めされることにより、レンズ９を傷や異物から保護することができる。また、図４（ａ）に示す状態から、羽根１０ａを光軸から離れる方向へ移動させ、図４（ｂ）に示すようにレンズ９が開放される状態で位置決めさせることにより、被写体からの反射光等を鏡筒２内へ入射させる状態にすることができる。また、レンズバリア１０は、モータなどの駆動源によって開閉動作される。また、羽根１０ａの枚数は４枚に限るものではない。
【００３６】
電源ボタン１１は、撮影装置１の電源をオン／オフ操作できるものである。
【００３７】
以上のように構成された本実施の形態について、以下動作について説明する。
【００３８】
まず、待機状態から撮影可能状態へ移行させる動作について説明する。
【００３９】
撮影装置１に第２の筐体４が収納された待機状態において、電源ボタン１１を操作して、撮影装置１の電源をオンにする。この時、撮影装置１内部の駆動源によって、レンズバリア１０の羽根１０ａがスライド動作され、レンズバリア１０が図４（ａ）に示す状態から図４（ｂ）に示すようにレンズ９が露出した状態へ移行される。
【００４０】
次に、撮影装置１に収納された第２の筐体４を、支軸７の軸周りに矢印Ａに示す方向に約９０度回動させ、図３（ａ）に示す状態にする。次に、第２の筐体４を図３（ａ）に示す状態から、支軸６の軸周りに矢印Ｂに示す方向へ約９０度回動させて、図３（ｂ）に示す状態にする。なお、この時の第２の筐体４の回動角度は、撮影者にとって表示部８が見やすい角度に設定することができる。
【００４１】
また、前述のように撮影装置１の電源がオンにされ、レンズバリア１０が開かれた時、被写体からの反射光等の光信号がレンズ９を介して鏡筒２内へ入射される。入射された光信号は、撮像素子で電気信号へ変換され信号処理が施された後、映像信号（いわゆるスルー画像）が表示部８に表示される。
【００４２】
次に、撮影者は、図２に示す第３の操作部３３を操作してモード選択を行う。動画の撮影を行う場合は第３の操作部３３を操作して「動画撮影モード」に設定し、静止画の撮影を行う場合は「静止画撮影モード」に設定する。
【００４３】
次に、撮影者は、表示部８に表示されるスルー画像を見ながら、第２の操作部３２を操作して、ホワイトバランスなどの各種画質調整を行ったり、ズームレバー３１ｂを操作してズーム調整などを行う。さらに、任意のタイミングでシャッターボタン３１ａを操作することで、静止画または動画を情報媒体に記録させることができる。なお、第３の操作部３３によって「静止画撮影モード」に設定されている場合は、シャッターボタン３１ａが一回操作されることで１枚の静止画が撮影される。また、「動画撮影モード」に設定されている場合は、シャッターボタン３１ａが一回操作されることで動画の記録動作が開始され、次にシャッターボタン３１ａが操作された時に記録動作が停止される。
【００４４】
撮影を終了する場合は、上記手順に対する逆手順を辿り、第２の筐体４を図３（ａ）に示す収納状態に戻し、電源ボタン１１を操作して電源をオフにする。
【００４５】
次に、クイックスタート機能について説明する。
【００４６】
「クイックスタート機能」とは、撮影装置１の電源がオンの状態で第２の筐体４を収納状態にした時に、表示部８を非表示状態にするとともにレンズバリア１０を閉じる状態へ移行させ、この状態から第２の筐体４を視認可能状態へ移行させた時に、即座に撮影装置１を撮影可能状態へ移行させる機能である。本実施の形態の撮影装置では、クイックスタート機能を動作させるか否か（オン／オフ）を、使用者が任意に選択可能に構成されている。選択方法としては、表示部８に表示されるメニュー画面上で選択可能な方法がある。
【００４７】
図５はクイックスタート機能を実現する撮影装置の内部構成を示すブロック図である、図６Ａはクイックスタート機能がオンの時の動作を示すフローチャートである。
【００４８】
図５において、レンズバリア２３は、レンズ２１の光軸方向前段に開閉自在に配される。撮像素子（以下ＣＣＤと記す）２２は、レンズ２１を介して入射される光信号を電気信号に変換して出力するものである。映像信号処理部２４は、ＣＣＤ２３から出力される電気信号に基づき、映像信号を生成し、ノイズ除去や画質調整や圧縮処理などの各種信号処理が施される。表示制御部２５は、映像信号処理部２４から出力される映像信号を表示部２６に表示させるよう制御する。表示部２６は、表示筐体２７に備えられ、表示制御部２５からの制御によって映像信号を表示させることができる。表示部２６は、本実施の形態では液晶ディスプレイとしたが、これに限るものではない。記録再生部２８は、映像信号処理部２４から出力される映像信号を、半導体メモリカードなどの情報媒体に記録させる。回動検出部３０は、表示筐体２７の回動状態を検出するものであり、本実施の形態では表示筐体２７が軸支されている支軸６（図１〜図３参照）に配された検出スイッチで構成されている。レンズバリア開閉制御部２９は、主制御部４１（後述）からの制御によって、レンズバリア２３を開閉制御する。
【００４９】
主制御部４１は、撮影装置１全体のシステム制御を行うマイコンから構成されるものである。本実施の形態の主制御部４１は、回動検出部３０における検出結果に基づいて、ＣＣＤ２２と映像信号処理部２４と表示制御部２５と表示部２６とレンズバリア開閉制御部２９を制御している。回動検出部３０において、表示筐体２７が収納状態になったことが検出されると、ＣＣＤ２２や表示制御部２５や表示部２６などの動作を停止させるよう制御する。さらに、レンズバリア開閉制御部２９に対して、レンズバリア２３を閉じるよう制御している。このような収納状態において、主制御部４１には電源回路（図示せず）から電源が供給され続けて、主制御部４１は起動状態となっている（この状態を「スタンバイ状態」と称する）。また、回動検出部３０において、表示筐体２７が収納位置から所定の位置（例えば図３（ａ）に示す位置）まで回動されたことが検出されると、主制御部４１はＣＣＤ２２他を制御して、即時に表示部２６へスルー画像を表示させるよう制御する。なお、回動検出部３０で検出可能な表示筐体の位置は、図３（ａ）に示す位置に限るものではなく、他の位置であってもよい。なお、主制御部４１とレンズバリア開閉制御部２９とで、制御部を構成している。
【００５０】
次に、動作について、図５及び図６Ａを参照して説明する。
【００５１】
まず、電源スイッチ（図５では図示せず）が操作されて撮影装置の電源が投入されると（ステップＳ１）、レンズ２１の位置制御や、ＣＣＤ２２や映像信号処理部２４における初期化処理などの第１の起動処理が行われる（ステップＳ２）。第１の起動処理は、電源回路（図示せず）の起動処理、主制御部４１を構成しているマイコンの起動処理、マイコンへのリセット入力、撮影装置１内の各ＩＣへのリセット入力、各ＩＣにおける初期化処理、ソフトウェア初期設定（割り込み順位設定やＲＴＯＳ起動等）などの、様々な処理が行われる。第１の起動処理が終わると、レンズ２１を介して入射される光信号がＣＣＤ２２で電気信号に変換されて、映像信号処理部２４へ入力される。この時、表示筐体２７はまだ収納状態であるため、表示制御部２５は映像信号処理部２４からの映像信号を表示部２８へ出力していない。
【００５２】
次に、レンズバリア開閉制御部２９の制御によってレンズバリア２３が閉じた状態から開いた状態へ移行される（ステップＳ３）。
【００５３】
次に、使用者によって表示筐体２７が視認可能状態へ移行されると（ステップＳ４）、撮影可能状態へ移行される（ステップＳ５）。撮影可能状態では、表示制御部２５が、映像信号処理部２４からの映像信号を表示部２６へ表示させるよう制御し、表示部２６にはスルー画像が表示される。そして、任意のタイミングで使用者によってシャッターボタン（図２の３１ａ）が操作されると、映像信号処理部２４は記録再生部２８に対して映像信号を情報媒体へ記録させるよう制御する。
【００５４】
一方、撮影装置１の電源が投入されたにも関わらず、表示筐体２７が所定時間以上、収納状態が続いている場合（ステップＳ１１）、撮影装置１の電源が自動的にオフにされるよう制御される（ステップＳ１０）。これにより、撮影装置の電源が投入されているにもかかわらず収納状態が長時間続くことによる、無駄な消費電力を削減することができる。
【００５５】
撮影可能状態において、表示筐体２７が収納状態へ移行されると（ステップＳ６）、回動検出部３０はこの状態を検出し、検出信号を主制御部４１へ出力する。主制御部４１は、撮影装置をスタンバイモードにするために、表示制御部２５及び表示部２６に対して映像信号の出力を停止させるよう制御するとともに、レンズバリア開閉制御部２９に対してレンズバリア２３を閉じるよう制御する（ステップＳ７）。レンズバリア２３が閉じた後も、撮影装置１の本体電源はオフにはならず、ＣＣＤ２２や映像信号処理部２４は映像信号を表示制御部２５を出力し続けている。
【００５６】
表示筐体２７が閉じてから所定時間（例えば５分）経過するまでに、表示筐体２７が視認可能状態へ移行されると（ステップＳ８）、回動検出部３０はこの状態を検出し、検出信号を主制御部４１へ出力する。主制御部４１は、検出信号が入力されると第２の起動処理を行う（ステップＳ１２）。第２の起動処理は、主制御部４１が、レンズバリア開閉制御部２９に対してレンズバリア２３を開くよう制御するとともに、ＣＣＤ２２や表示制御部２５などを制御して、表示部２６にスルー画像を表示させるよう制御する。なお、第２の起動処理では、第１の起動処理で必要だったマイコンへのリセット入力やＩＣ初期化やソフトウェア初期設定などの処理が不要となるため、処理時間は短くて済む（例えば１．５秒以下）。
【００５７】
第２の起動処理Ｓ１２が行われた後は、再び撮影可能状態Ｓ５になる。
【００５８】
スタンバイモードにおいて、所定時間経過しても表示筐体２７が視認可能状態へ移行されない場合は、撮影装置１の電源を自動的にオフにするよう制御される（ステップＳ１０）。これにより、長時間スタンバイモードが続くことによる無駄な消費電力を削減することができる。
【００５９】
次に、クイックスタート機能がオフの時の動作について説明する。
【００６０】
図６Ｂはクイックスタート機能がオフの時の動作を説明するためのフローチャートである。なお、構成は図５と同様である。
【００６１】
まず、電源スイッチ（図５では図示せず）が操作されて撮影装置の電源が投入されると（ステップＳ２１）、レンズ２１の位置制御や、ＣＣＤ２２や映像信号処理部２４における初期化処理などの起動処理が行われる（ステップＳ２２）。起動処理は、電源回路（図示せず）の起動処理、主制御部４１を構成しているマイコンの起動処理、マイコンへのリセット入力、撮影装置１内の各ＩＣへのリセット入力、各ＩＣにおける初期化処理、ソフトウェア初期設定（割り込み順位設定やＲＴＯＳ起動等）などの、様々な処理が行われる。第１の起動処理が終わると、レンズ２１を介して入射される光信号がＣＣＤ２２で電気信号に変換されて、映像信号処理部２４へ入力される。この時、表示筐体２７はまだ収納状態であるため、表示制御部２５は映像信号処理部２４からの映像信号を表示部２８へ出力していない。
【００６２】
次に、レンズバリア開閉制御部２９の制御によって、レンズバリア２３が閉じた状態から開いた状態へ移行される（ステップＳ２３）
次に、使用者によって表示筐体２７が視認可能状態へ移行されると（ステップＳ２４）、撮影可能状態へ移行される（ステップＳ２５）。撮影可能状態では、表示制御部２５が、映像信号処理部２４からの映像信号を表示部２６へ表示させるよう制御し、表示部２６にはスルー画像が表示される。そして、任意のタイミングで使用者によってシャッターボタン（図２の３１ａ）が操作されると、映像信号処理部２４は記録再生部２８に対して映像信号を情報媒体へ記録させるよう制御する。
【００６３】
一方、撮影装置１の電源が投入されたにも関わらず、表示筐体２７が所定時間以上、収納状態が続いている場合（ステップＳ２９）、撮影装置１の電源が自動的にオフにされるよう制御される（ステップＳ２８）。これにより、撮影装置の電源が投入されているにもかかわらず収納状態が長時間続くことによる、無駄な消費電力を削減することができる。
【００６４】
撮影可能状態において、表示筐体２７が収納状態へ移行されると（ステップＳ２６）、回動検出部３０はこの状態を検出し、検出信号を主制御部４１へ出力する。主制御部４１は、レンズバリア開閉制御部２９に対してレンズバリア２３を閉じるよう制御し（ステップＳ２７）、撮影装置１の電源がオフにするよう制御する（ステップ２８）。
【００６５】
このように、クイックスタート機能がオフの場合は、第２の筐体４の開閉動作に連動して、レンズバリア２３を開閉動作させるとともに、撮影装置１の電源をオン／オフ制御する。
【００６６】
以上のように本実施の形態によれば、表示筐体２の開閉に連動して、レンズバリア１０が開閉制御されるので、使用者においてレンズバリア１０を手動で開閉させる手間が省け、操作性を向上させることができる。
【００６７】
また、撮影装置１が電源オンの状態において、第２の筐体４を収納状態へ移行させスタンバイ状態へ移行させた後、再度、第２の筐体４を視認可能状態へ移行させた時に、撮影装置１内のシステムを短時間で撮影可能状態へ移行させることができるので、シャッターチャンスを逃さないなど、使い勝手を向上させることができる。
【００６８】
また、スタンバイ状態において、レンズバリア１０を閉じるよう構成したので、レンズを傷や異物から保護することができる。
【００６９】
また、スタンバイ状態において、所定時間経過しても第２の筐体４が開かれない場合は、撮影装置１の電源をオフにするよう制御されるので、消費電力を削減することができる。
【００７０】
なお、本実施の形態では、第３の操作部３３におけるモード設定が「静止画撮影モード」か「動画撮影モード」の時のクイックスタート機能について説明したが、「静止画再生モード」及び「動画再生モード」でクイックスタート機能を動作させてもよい。ただし、「静止画再生モード」及び「動画再生モード」は、情報媒体に記録された映像信号などを再生するモードであり、レンズ２１やＣＣＤ２２などは動作させる必要がないため、表示筐体２７の開閉状態に関わらず、レンズバリア２３は閉じておくよう制御する。これにより、レンズ２１を傷や異物から保護することができる。
【００７１】
また、本実施の形態では、電源スイッチ１１で撮影装置１の電源を投入してから、クイックスタート機能を動作させることができる構成としたが、第２の筐体４の開閉動作に連動して撮影装置１の電源をオン／オフさせるとともにクイックスタート機能をも動作可能な構成としてもよい。すなわち、撮影装置１が電源がオフの状態において第２の筐体４を視認可能状態へ移行させた時に、撮影装置１の電源がオンになり撮影可能状態へ移行するように制御する。さらに、撮影装置１が撮影可能状態にある時に、第２の筐体４を収納状態へ移行させた場合、スタンバイモードへ移行される。スタンバイモードにおいて、所定時間以内に第２の筐体４を再度視認可能状態へ移行させると、撮影装置１を撮影可能状態へ移行させることができるが、スタンバイモードのまま所定時間が経過してしまうと、撮影装置１の電源がオフになるよう制御される。これにより、第２の筐体４の開閉動作に伴って、撮影装置１の電源をオン／オフ制御できるとともに、クイックスタート機能も動作させることができるので、電源スイッチの搭載を省略することが可能になる。
【産業上の利用可能性】
【００７２】
本発明は、デジタルカメラの他、デジタルビデオカメラやカメラ付き携帯電話機など、少なくとも回動自在な表示部を備えるとともに撮影手段を搭載した機器であれば利用可能である。
【図面の簡単な説明】
【００７３】
【図１】本発明の実施の形態１における撮影装置の斜視図
【図２】実施の形態１における撮影装置の斜視図
【図３】実施の形態１における撮影装置の表示筐体の回動状態を示す斜視図
【図４】実施の形態１における撮影装置のレンズバリアを示す正面図
【図５】実施の形態１における撮影装置の構成を示すブロック図
【図６Ａ】実施の形態１における撮影装置のクイックスタート機能のフロー図
【図６Ｂ】実施の形態１における撮影装置のクイックスタート機能がオフの時のフロー図
【図７】従来の撮影装置の平面図
【図８】従来の撮影装置の正面図
【図９】従来の撮影装置の側面図
【符号の説明】
【００７４】
１  撮影装置
２  鏡筒
４、２７  第２の筐体
５  第１の筐体
６、７、９  支軸
８、２６  表示部
９、２１  レンズ
１０、２３  レンズバリア
２２  撮像素子
２９  レンズバリア開閉制御部
３０  回動検出部
４１  主制御部
【図１】
2007060304.tif 000003
【図２】
2007060304.tif 000004
【図３】
2007060304.tif 000005
【図４】
2007060304.tif 000006
【図５】
2007060304.tif 000007
【図６Ａ】
2007060304.tif 000008
【図６Ｂ】
2007060304.tif 000009
【図７】
2007060304.tif 000010
【図８】
2007060304.tif 000011
【図９】
2007060304.tif 000012